(57)【要約】【課題】フードを備えた衣料であって、絞り紐を締めることにより、顔面へのフィット性と頭部へのフィット性の両方を簡単に高めることができる衣料を提供する。【解決手段】開口３を有するフード本体２と、フード本体２に配設された絞り紐４とを有する衣料１であって、絞り紐４はフード本体２に挿通され、開口３の縁に沿って延びる第１部分４Ａと、第１部分４Ａから折り返されて開口３の縁に沿って延びる第２部分４Ｂと、第２部分４Ｂに繋がって頭側部を開口３側から後方に向かって延びる第３部分４Ｃとを有する。【選択図】図４
0003189088.tif 000002
【実用新案登録請求の範囲】
【請求項１】
開口を有するフード本体と、
前記フード本体に配設された絞り紐とを有し、
前記絞り紐は前記フード本体に挿通されて、前記開口の縁に沿って延びる第１部分と、前記第１部分から折り返されて前記開口の縁に沿って延びる第２部分と、前記第２部分に繋がって頭側部を前記開口側から後方に向かって延びる第３部分とを有することを特徴とする衣料。
【請求項２】
前記絞り紐の第３部分は、頭側部を後方に向かって下方に延びている請求項１に記載の衣料。
【請求項３】
前記絞り紐に、絞り紐の係止位置を調節する調節具が設けられている請求項１または２に記載の衣料。
【請求項４】
前記調節具は、前記フード本体の左右方向の略中央に設けられ、
頭部の右側から中央に延びる絞り紐と、頭部の左側から中央に延びる絞り紐が、前記調節具に繋がっている請求項３に記載の衣料。
【請求項５】
前記調節具はフード本体に設置され、絞り紐を巻き取る回転ドラムを有し、
前記絞り紐は、フード本体の外部に露出せずに、端部が前記回転ドラムに連結している請求項３に記載の衣料。
【請求項６】
前記調節具は、前記フード本体の左右方向の略中央に設けられ、
頭部の右側から中央に延びる絞り紐の端部と、頭部の左側から中央に延びる絞り紐の端部とが、前記回転ドラムに連結している請求項５に記載の衣料。
【請求項７】
前記調節具は、前記第３部分に設けられている請求項５または６に記載の衣料。
【請求項８】
前記第２部分は、前記第１部分側から前記第３部分側に向かって、前記開口の縁に沿って上方に延びている請求項１〜７のいずれか一項に記載の衣料。
【考案の詳細な説明】
【技術分野】
【０００１】
本考案は衣料に関するものであり、詳細には、フードを備えた衣料に関するものである。
【背景技術】
【０００２】
従来、フードを備えた衣料として、防寒服、作業服、防護服、レインコート、パーカー等が知られている。フードには、顔面を出す開口縁に沿って絞り紐が配されることが多く、絞り紐を締めることによりフードの開口を狭めて、顔面へのフィット性を高めることができる。また、フードの開口縁に沿って絞り紐が配設されるとともに、首元から頭部の後側にかけて絞り紐が配設されたフードも知られており、そのようなフードを備えた衣料が特許文献１，２に開示されている。特許文献１，２に開示されたフードは、頭部の後側にかけて配された絞り紐を締めることにより、頭部のフィット性も高めることができる。
【先行技術文献】
【特許文献】
【０００３】
【特許文献１】特開２００３−２７３２０号公報
【特許文献２】実用新案登録第３１７４６８３号公報
【考案の概要】
【考案が解決しようとする課題】
【０００４】
しかし、特許文献１，２に開示されたフードは、顔面へのフィット性と頭部へのフィット性を高めるために、フードの開口縁に沿って配設された絞り紐と、首元から頭部の後側にかけて配設された絞り紐をそれぞれ引っ張ることが必要であり、操作性に改善の余地がある。
【０００５】
本考案は前記事情に鑑みてなされたものであり、その目的は、フードを備えた衣料であって、絞り紐を締めることにより、顔面へのフィット性と頭部へのフィット性の両方を簡単に高めることができる衣料を提供することにある。
【課題を解決するための手段】
【０００６】
前記課題を解決することができた本考案の衣料とは、開口を有するフード本体と、フード本体に配設された絞り紐とを有し、絞り紐はフード本体に挿通されて、開口の縁に沿って延びる第１部分と、第１部分から折り返されて開口の縁に沿って延びる第２部分と、第２部分に繋がって頭側部を開口側から後方に向かって延びる第３部分とを有するところに特徴を有する。本考案の衣料は、絞り紐を締めることにより、フード本体の開口縁を絞って顔面へのフィット性を高めると同時に、フード本体を着用者の後頭部から押さえて、着用者の頭部へのフィット性を高めることができ、操作性に優れたものとなる。また、フード本体の開口縁に沿って絞り紐が折り返されて配されることにより、フード本体の開口縁が頭側部よりも絞られにくくなり、着用者の顔面が窮屈になりにくくなるとともに、頭側部がより締められることによりフード本体が頭部の動きに追従しやすくなる。
【０００７】
絞り紐の第３部分は、頭側部を後方に向かって下方に延びていることが好ましい。第３部分がこのように配設されていれば、絞り紐を締めた際に、第３部分によって着用者の後頭部が全体的に保持されやすくなり、フード本体の頭部の動きへの追従性が向上する。
【０００８】
絞り紐には、絞り紐の係止位置を調節する調節具が設けられていることが好ましい。調節具を設けることにより、絞り紐を締めた状態で絞り紐をフード本体に留めることができ、フード本体のフィット性を高めた状態を維持できるようになる。
【０００９】
調節具はフード本体の左右方向の略中央に設けられ、頭部の右側から中央に延びる絞り紐と、頭部の左側から中央に延びる絞り紐が、１つの調節具に繋がっていてもよい。この場合、１つの調節具で左右の絞り紐を同時に締めることができ、操作性が向上する。
【００１０】
調節具はフード本体に設置されて、絞り紐を巻き取る回転ドラムを有し、絞り紐は、フード本体の外部に露出せずに、端部が回転ドラムに連結していることが好ましい。このような調節具を採用することにより、絞り紐を外部に露出しないようにすることができ、絞り紐が不用意に引っ掛かったりすることがなくなり、安全性に優れたものとなる。
【００１１】
調節具はフード本体の左右方向の略中央に設けられ、頭部の右側から中央に延びる絞り紐の端部と、頭部の左側から中央に延びる絞り紐の端部とが、回転ドラムに連結していることが好ましい。この場合、調節具によって左右の絞り紐を同時に締めることができ、調節具の操作性が向上して、片手であっても簡単に絞り紐を締めることができるようになる。その結果、フード本体のフィット性や追従性を容易に高めることできるようになる。
【００１２】
調節具は、第３部分に設けられていることが好ましい。調節具が第３部分に設けられていれば、フード本体を頭部にかぶせた際に調節具が邪魔にならなくなる。
【００１３】
第２部分は、第１部分側から第３部分側に向かって、開口の縁に沿って上方に延びていることが好ましい。このように絞り紐が配設されていれば、絞り紐によって着用者の頭部がしっかりと保持されやすくなる。その結果、フード本体が着用者の頭部の動きに追従しやすくなる。
【考案の効果】
【００１４】
本考案の衣料は、フード本体に挿通された絞り紐が、開口の縁に沿って延びる第１部分と、第１部分から折り返されて開口の縁に沿って延びる第２部分と、第２部分に繋がって頭側部を開口側から後方に向かって延びる第３部分とを有するため、絞り紐を締めることにより、フード本体の開口縁を絞って顔面へのフィット性を高めるとともに、フード本体を着用者の後頭部から押さえて、着用者の頭部へのフィット性を高めることができ、操作性に優れたものとなる。
【図面の簡単な説明】
【００１５】
【図１】本考案の衣料のフード本体を側面から見た模式図を表す。
【図２】本考案の衣料の第１構成例を表し、衣料を側面から見た図を表す。
【図３】図２に示した衣料を正面から見た図を表す。
【図４】本考案の衣料の第２構成例を表し、衣料を側面から見た図を表す。
【図５】図４に示した衣料を正面から見た図を表す。
【考案を実施するための形態】
【００１６】
本考案の衣料はフードを備えたものである。本考案の衣料としては、フードを備えた上衣、フードを備えたつなぎ（上衣とズボンが一体化した衣料）等が挙げられ、具体的には、防寒服、作業服、防護服、レインコート、パーカー等が挙げられる。また本考案の衣料には、フードそのものも含まれる。
【００１７】
本考案の衣料は、開口を有するフード本体と、フード本体に配設された絞り紐を有する。本考案の衣料は、絞り紐がフード本体の開口の縁に沿って延在するとともに、フード本体の頭側部を開口側から後方に向かって延在するように設けられており、絞り紐を引っ張ったりして締めることにより、フード本体の開口縁を絞ることができるとともに、フード本体を着用者の後頭部から押さえて、着用者の頭部へのフィット性を高めることができるものである。
【００１８】
フード本体は、着用者の頭部を覆う部分であり、顔面を出すための開口（以下、「顔面開口」と称する場合がある）を有する。フード本体は着用者の首よりも上の部分に相当し、上衣を有する衣料では、フード本体は上衣と取り外し可能に形成されていてもよく、上衣と一体的に（すなわち上衣と取り外し不能に）形成されていてもよい。
【００１９】
フード本体は、頭側部を有する。頭側部は着用者の頭部の側部を覆う部分であり、例えば、頬、耳、側頭骨、蝶形骨、側頭筋を覆う。フード本体はまた、頭頂部や後頭部を有する。頭頂部は頭部の上側を覆う部分であり、例えば、前頭骨や頭頂骨の前側半分を覆う。後頭部は頭部の後側や首の後側を覆う部分であり、例えば、後頭骨、頭頂骨の後側半分、後頭筋、僧帽筋の首部分を覆う。
【００２０】
フード本体は、内部に絞り紐が挿通されている。従って、フード本体は複層構造を有していることが好ましい。フード本体は、例えば、表地と裏地とを有し、表地と裏地の間に絞り紐が配される。なお表地とは、フードの外側に位置する生地（シート部材）を意味し、裏地とは、フードの着用者側に位置する生地（シート部材）を意味する。表地や裏地は、布材料（織布、編布、不織布等）やプラスチックフィルム等から構成されればよい。表地や裏地の間には、断熱性や保温性等の機能を高めるために、繊維塊等を設けてもよい。
【００２１】
フード本体は、絞り紐が挿通する部分に挿通路が形成されていることが好ましい。例えば、挿通路の延在方向に沿って表地と裏地を相互に縫い合わせることにより、フード本体に挿通路を形成することができる。なお挿通路には、前記に説明した繊維塊等は設けられないことが好ましく、挿通路には絞り紐のみが設けられることが好ましい。
【００２２】
絞り紐は、フード本体に挿通されている。絞り紐の構成材料は特に限定されず、天然繊維や合成繊維等の繊維から構成されてもよく、金属やプラスチック等から構成され、いわゆるワイヤーであってもよい。絞り紐は伸縮弾性を有するものであってもよく、例えばゴム紐から構成されていてもよい。
【００２３】
絞り紐はフード本体に挿通されて、顔面開口の縁に沿って延びる第１部分と、第１部分から折り返されて顔面開口の縁に沿って延びる第２部分と、第２部分に繋がって頭側部を顔面開口側から後方に向かって延びる第３部分とを有する。絞り紐の第１部分と第２部分と第３部分は、この順番で連続的に繋がって形成され、すなわち、第２部分の一方端に第１部分が接続し、他方端に第３部分が接続している。絞り紐は分岐をせずに１本の線状に形成されることが好ましい。絞り紐は、第１部分から第３部分にかけて全体が、フード本体の内部に挿通されている。
【００２４】
本考案の衣料は、上記のようにフード本体に絞り紐が配されているため、絞り紐を締めることにより、フード本体の開口縁を絞って顔面へのフィット性を高めると同時に、フード本体を着用者の後頭部から押さえて、着用者の頭部へのフィット性を高めることができ、操作性に優れたものとなる。また、フード本体の開口縁に沿って絞り紐が折り返されて配されているため、フード本体の開口縁が頭側部よりも絞られにくくなる。その結果、着用者の顔面が窮屈になりにくくなるとともに、頭側部がより締められることによりフード本体が頭部の動きに追従しやすくなる。
【００２５】
絞り紐は、フード本体の右側と左側にそれぞれ設けられることが好ましい。絞り紐は、フード本体の右側に配される部分と左側に配される部分とが分離して設けられてもよく、フード本体の右側に配される部分と左側に配される部分とが接続していてもよい。後者の場合、フード本体の右側に配された絞り紐とフード本体の左側に配された絞り紐は、後頭部で互いに接続したり、顔面開口の縁に沿った部分で互いに接続すればよい。
【００２６】
絞り紐のフード本体への配設例について、図１を参照して説明する。図１（ａ）および図１（ｂ）には本考案の衣料のフード本体を側面から見た模式図を示している。
【００２７】
フード本体２は顔面開口３を有し、フード本体２に絞り紐４が配設されている。絞り紐４はフード本体２に挿通され、開口３の縁に沿って延びる第１部分４Ａと、第１部分４Ａから折り返されて開口３の縁に沿って延びる第２部分４Ｂと、第２部分４Ｂに繋がって頭側部を開口３側から後方に向かって延びる第３部分４Ｃとを有する。
【００２８】
第１部分４Ａと第２部分４Ｂは開口３の縁に沿って延びている。第１部分４Ａと第２部分４Ｂにより、フード本体２の開口３の大きさ（開口３の縁の長さ）を調節することができ、絞り紐４を締めることによりフード本体２の顔面へのフィット性を高めることができる。第１部分４Ａと第２部分４Ｂは開口３の縁から５０ｍｍ以内に設けられることが好ましく、４０ｍｍ以内に設けられることがより好ましく、３０ｍｍ以内に設けられることがさらに好ましい。
【００２９】
第１部分４Ａは、フード本体２の開口３の縁の５０％以上に延在することが好ましく、６０％以上に延在することがより好ましい。なお前記割合は、絞り紐を締めずに、フード本体を広げた状態で規定される。以下、フード本体や絞り紐の長さや角度は同様の条件で規定されるものとする。
【００３０】
第２部分４Ｂは、第１部分４Ａが折り返されて形成される。第２部分４Ｂは、第１部分４Ａの上端で折り返されて形成されてもよく、第１部分４Ａの下端で折り返されて形成されてもよい。すなわち、第１部分４Ａと第２部分４Ｂとの接続部は、第１部分４Ａの上端に設けられてもよく、下端に設けられてもよい。図１（ａ）では、第２部分４Ｂが第１部分４Ａの下端で折り返されて形成されており、図１（ｂ）では、第２部分４Ｂが第１部分４Ａの上端で折り返されて形成されている。第１部分４Ａが幅をもって折り返されている場合、すなわち第１部分４Ａの上端または下端がある程度の幅を有する場合は、当該幅の中点で第１部分４Ａと第２部分４Ｂが区分されるものとする。
【００３１】
第２部分４Ｂは、図１（ａ）に示すように、第１部分４Ａの下端で折り返されて形成されていることが好ましい。すなわち、第２部分４Ｂは、第１部分４Ａ側から第３部分４Ｃ側に向かって、開口３の縁に沿って上方に延びていることが好ましい。絞り紐４は、第１部分４Ａと第２部分４Ｂと第３部分４Ｃでそれぞれ異なる方向に延びているが、絞り紐４の全体としてみれば、第１部分４Ａの起点（第１部分４Ａの第２部分４Ｂと反対側の端部）と第３部分４Ｃの終点（第３部分４Ｃの第２部分４Ｂと反対側の端部）とを結ぶようにテンションがかかることとなる。従って、このように絞り紐４が配設されていれば、絞り紐４を引っ張った際に、絞り紐４は全体として頭部の前側の上部から後頭部にかけて締めつけるように作用して、着用者の頭部が絞り紐４によってしっかりと保持されやすくなる。その結果、フード本体２の着用者の頭部の動きへの追従性が向上する。
【００３２】
フード本体２において、第１部分４Ａと第２部分４Ｂの接続部は定まった箇所にあることが好ましい。図１（ａ）では、第１部分４Ａの下端は、絞り紐４を締めても、フード本体２の定まった箇所に形成されることが好ましく、図１（ｂ）では、第１部分４Ａの上端は、絞り紐４を締めても、フード本体２の定まった箇所にあることが好ましい。従って、フード本体２には、第１部分４Ａと第２部分４Ｂの間の折り返しを支持する支持手段が設けられていることが好ましい。支持手段としては、フード本体２の表地と裏地を第１部分４Ａと折り返された第２部分４Ｂの間で直接または間接的に接合したり、フード本体２の内部に絞り紐４を挿通する環状のタブを設けたりすればよい。
【００３３】
第３部分４Ｃは、第２部分４Ｂに繋がって形成され、頭側部を開口３側から後方に向かって延びる。第３部分４Ｃによって、フード本体２の前後方向の長さを調節することができ、絞り紐４を締めることによりフード本体２の頭部へのフィット性を高めることができる。その結果、着用者が左右を見回すように頭部を動かしても、フード本体２が頭部の動きに追従しやすくなる。
【００３４】
第３部分４Ｃは、フード本体２の高さ方向に対して、着用者の額の側部から頬の近辺を起点として後方に延びていることが好ましい。なお、第３部分４Ｃの起点は次のように定められるものとする。すなわち、絞り紐４が開口３の縁に沿って延び、さらに頭側部を後方に向かって延びる際に、絞り紐４が開口３の縁に対して４５°の角度をなす部分を、第３部分４Ｃの起点（第２部分４Ｂと第３部分４Ｃとを区分する点）とする。なお、絞り紐４の傾きが不連続に変化して開口３の縁に対して４５°の角度をなす部分がない場合は、絞り紐４が開口３の縁から頭側部を後方に向かって伸びる際に、絞り紐４が開口３の縁に対して４５°を超える角度をなした部分を、第３部分４Ｃの起点とする。
【００３５】
第３部分４Ｃは、フード本体２の周方向の５０％以上に延在することが好ましく、７０％以上に延在することがより好ましい。なお前記において、フード本体２の周方向の長さは、第３部分４Ｃが延在する部分は当該部分の長さを計測し、後頭部側で第３部分４Ｃが延在しない部分がある場合は、左右の第３部分４Ｃの後側の端部を繋ぐ線で補完し、開口３側で第３部分４Ｃが存在しない部分がある場合は、第３部分４Ｃの前側の端部を開口３の縁と最短距離で繋ぐ線で補完し、フード本体２の周方向の長さを測る。
【００３６】
第３部分４Ｃは、頭側部を後方に向かって下方に延びていることが好ましい。第３部分４Ｃがこのように配設されていれば、絞り紐４を締めた際、第３部分４Ｃによって着用者の後頭部の大部分が保持されやすくなり、フード本体２が頭部の動きに追従しやすくなる。この場合、第３部分４Ｃは少なくとも一部が頭側部を後方に向かって下方に延びていればよいが、第３部分４Ｃの５０％以上（より好ましくは７０％以上であり、さらに好ましくは８０％以上である）が後方に向かって下方に延びていることが好ましい。この場合、第３部分は、後方側が開口側よりも下方に位置するように設けられることが好ましい。
【００３７】
第３部分４Ｃは、頭側部を後方に向かって、後頭骨の外後頭隆起の下方まで延びていることが好ましい。第３部分４Ｃがこのように設けられていれば、絞り紐４を締めた際、第３部分４Ｃによって後頭部が好適に保持されて、フード本体２が頭部の動きに追従しやすくなる。
【００３８】
絞り紐４は、フード本体２の右側と左側とで分離してそれぞれ設けられてもよく、フード本体２の右側と左側とで連続して設けられてもよい。後者の場合、図１（ａ）では、第１部分４Ａの上側または第３部分４Ｃの後方側で左右の絞り紐４が互いに接続されればよく、図１（ｂ）では、第１部分４Ａの下側または第３部分４Ｃの後方側で左右の絞り紐４が互いに接続されればよい。
【００３９】
絞り紐４の端部は、フード本体２の外部に露出していてもよい。絞り紐４の端部がフード本体２の外部に露出していれば、絞り紐を手で引っ張ることにより、フード本体を絞り紐によって締めることができる。絞り紐４がフード本体２の右側と左側とで分離して設けられる場合は、第１部分４Ａ側の端部と第３部分４Ｃ側の端部のうち一方の端部がフード本体２の外部に露出し、他方の端部がフード本体２の内部に固定されていることが好ましい。絞り紐４がフード本体２の右側と左側とで連続して設けられる場合は、絞り紐４の両端部がフード本体２の外部に露出していることが好ましい。
【００４０】
絞り紐４には、絞り紐の係止位置を調節する調節具が設けられていることが好ましい。調節具は、絞り紐４の第１部分４Ａまたは第１部分４Ａに繋がってフード本体２の外部に露出した部分、あるいは、絞り紐４の第３部分４Ｃまたは第３部分４Ｃに繋がってフード本体２の外部に露出した部分に設けられることが好ましい。絞り紐に調節具を設けることにより、絞り紐を締めた状態で絞り紐をフード本体に留めることができ、フード本体のフィット性を高めた状態を維持できるようになる。
【００４１】
絞り紐に調節具が設けられる場合、調節具は、フード本体の右側に配された絞り紐とフード本体の左側に配された絞り紐のそれぞれに設けられてもよく、両方の絞り紐が共通の調節具に繋がっていてもよい。例えば、調節具がフード本体の左右方向の略中央に設けられ、頭部の右側から中央に延びる絞り紐と、頭部の左側から中央に延びる絞り紐が、調節具に繋がっていてもよい。この場合、１つの調節具で左右の絞り紐を同時に締めることができ、操作性が向上する。
【００４２】
調節具が、絞り紐４の外部に露出した部分に設けられる場合、調節具としては、衣料の紐に一般に設けられる公知の調節具を用いればよい。例えば、挿通口を備え、当該挿通口に絞り紐を挿通させる調節具を用いることができる。この場合、調節具の挿通口が絞り紐の太さと同程度かそれよりやや狭く形成されていれば、調節具を絞り紐に沿って移動させて任意の箇所で留めることにより、絞り紐の係止位置を調節することができる。調節具の挿通口はまた、バネ等を利用して大きさを変えることができるものでもよく、これにより調節具を絞り紐に沿って移動させやすくして、かつ調節具を絞り紐に強く係止させることができるようになる。
【００４３】
調節具は、絞り紐４の第１部分４Ａまたは第３部分４Ｃに設けられてもよい。この場合、調節具は、絞り紐４がフード本体２の内部に挿通した部分に設けられることとなる。この場合、絞り紐４はフード本体２の外部に露出しないように配設することができ、これにより絞り紐が邪魔にならなくなり、また不用意に絞り紐を締める危険性を低減することができる。すなわち、絞り紐の一部が外部に露出することによって絞り紐が邪魔になることが防止され、また絞り紐が着用者の身体や他の物品に引っ掛かったりして、意図せず絞り紐が引っ張られて、絞り紐が不用意に締まる危険性が減る。
【００４４】
調節具が絞り紐４の第１部分４Ａまたは第３部分４Ｃに設けられる場合、調節具はフード本体２に設置され、絞り紐を巻き取る回転ドラムを有するものであることが好ましい。この場合、絞り紐４の端部が調節具の回転ドラムに連結され、回転ドラムを回して絞り紐４を回転ドラムの周面に巻き取ることにより、絞り紐４を締めることができる。またこのような調節具を採用することにより、絞り紐４をフード本体２の外部に露出せずに配設することが可能となる。調節具は、例えば、回転ドラムが筐体内に配され、筐体に、フード本体内部に連通し絞り紐を通す開口が設けられ、筐体外に回転ドラムと連結して回転ドラムを回す操作手段が取り付けられて構成される。操作手段は、フード本体２の外部に露出して設けられる。このような調節具としては、例えば、特表２００１−５１３３７９号公報に開示される締め付け機構や特表２０１３−５２５００７号公報に開示される紐締めシステムを採用することができる。
【００４５】
このような回転ドラムを有する調節具を採用する場合、フード本体の右側に配された絞り紐の端部と左側に配された絞り紐の端部を共通の回転ドラムに連結することにより、左右の絞り紐を同時に締めることが可能となる。従って、片手で回転ドラムを回すことにより、左右の絞り紐を同時に締めて、開口縁と頭側部を含むフード本体全体のフィット性や追従性を高めることが容易にできるようになる。この場合、調節具はフード本体の左右方向の略中央に設けられ、頭部の右側から中央に延びる絞り紐の端部と、頭部の左側から中央に延びる絞り紐の端部とが、回転ドラムに連結していることが好ましい。具体的には、調節具は、フード本体の後頭部（第３部分の端部）や、フード本体の顔面開口の縁部の頭頂部や顎の下（第１部分の端部）に設ければよい。
【００４６】
回転ドラムを有する調節具は、フード本体の左右にそれぞれ設けてもよい。この場合、フード本体の右側に配された絞り紐の端部が、フード本体の右側に設けられた調節具の回転ドラムに連結され、フード本体の左側に配された絞り紐の端部が、フード本体の左側に設けられた調節具の回転ドラムに連結されることとなる。この場合、左右の調節具によって、フード本体の右側のフィット性と左側のフィット性をそれぞれ独立して調節することが可能となる。
【００４７】
回転ドラムを有する調節具は、絞り紐の第３部分に設けられることが好ましい。回転ドラムを有する調節具が第３部分に設けられれば、フード本体を頭部にかぶせた際に調節具が邪魔にならなくなる。また、調節具を着用者の頭部に押し当てながら回転ドラムを回すことができ、調節具を片手でも簡単に操作することができるようになる。
【００４８】
次に、本考案の衣料の構成例について、図２〜図５を参照して説明する。図２および図３は、本考案の衣料の第１構成例を表し、図４および図５は、本考案の衣料の第２構成例を表す。図２と図４はそれぞれ衣料を側面から見た図を表し、図３と図５はそれぞれ衣料を正面から見た図を表す。
【００４９】
衣料１は、開口３を有するフード本体２と、フード本体２に配設された絞り紐４とを有する。衣料１はさらに上衣９を有し、フード本体２が上衣９に取り付けられている。フード本体２は表地と裏地の間に絞り紐４が配されて構成され、表地と裏地が縫合部６で互いに縫合されることにより、絞り紐４の挿通路が形成されている。
【００５０】
絞り紐４はフード本体２に挿通され、開口３の縁に沿って延びる第１部分４Ａと、第１部分４Ａから折り返されて開口３の縁に沿って延びる第２部分４Ｂと、第２部分４Ｂに繋がって頭側部を開口３側から後方に向かって延びる第３部分４Ｃとを有する。衣料１は、絞り紐４を締めることにより、第１部分４Ａと第２部分４Ｂと第３部分４Ｃの長さを同時に短くすることができる。そのため、フード本体２の開口３の大きさを狭めて顔面へのフィット性を高めることができるとともに、フード本体２を着用者の後頭部から押さえて、着用者の頭部へのフィット性も高めることができる。また、開口３の縁に沿って絞り紐４が折り返されて配されているため、開口３が頭側部よりも絞られにくくなる。その結果、着用者の顔面が窮屈になりにくくなるとともに、頭側部がより締められることによりフード本体２が頭部の動きに追従しやすくなる。
【００５１】
図２および図３に示した衣料１Ａでは、第１部分４Ａが開口３の縁に沿って上方に延び、第１部分４Ａの上端で絞り紐４が折り返されて、第２部分４Ｂが開口３の縁に沿って下方に延びている。図４および図５に示した衣料１Ｂでは、第１部分４Ａが開口３の縁に沿って下方に延び、第１部分４Ａの下端で絞り紐４が折り返されて、第２部分４Ｂが開口３の縁に沿って上方に延びている。絞り紐４の第１部分４Ａと第２部分４Ｂの間の折り返しは、フード本体２の内部に設置された支持手段７によって支持されている。図面では、支持手段７として、絞り紐４を挿通する環状のタブが設けられている。フード本体２の頭部の動きへの追従性を高める点では、第１部分４Ａと第２部分４Ｂは、図４および図５に示した衣料１Ｂのように配されていることが好ましい。
【００５２】
第３部分４Ｃは、頭側部を後方に向かって下方に延びている。第３部分４Ｃがこのように配設されていれば、絞り紐４を締めた際に、第３部分４Ｃによって着用者の後頭部が全体的に保持されやすくなり、フード本体２が頭部の動きに追従しやすくなる。
【００５３】
図２および図３に示した衣料１Ａでは、絞り紐４は、第３部分４Ｃ側の端部がフード本体２の内部で固定部８で固定され、第１部分４Ａ側の端部がフード本体２の外部に露出している。絞り紐４の外部に露出した部分には、調節具５（５Ａ）が設けられている。調節具５Ａは挿通口を備え、この挿通口に絞り紐４が挿通され、バネによって挿通口の大きさが変えられるようになっている。衣料１Ａは、外部に露出した絞り紐４を引っ張ることにより、フード本体２の着用者の顔面および頭部へのフィット性を同時に高めることができ、また調節具５Ａの絞り紐４への係止位置を調節することにより、フード本体２のフィット性を高めた状態を維持することができる。
【００５４】
図４および図５に示した衣料１Ｂでは、絞り紐４はフード本体２の外部に露出せずに設けられ、第１部分４Ａ側の端部がフード本体２の内部で固定部８で固定され、第３部分４Ｃ側の端部が調節具５（５Ｂ）に接続している。調節具５Ｂはフード本体２に設置され、絞り紐４を巻き取る回転ドラムを有しており、絞り紐４の第３部分４Ｃ側の端部が調節具５Ｂの回転ドラムに連結している。絞り紐４は、調節具５Ｂの回転ドラムを回すことにより、回転ドラムの周面に巻き取られ、絞り紐４の調節具５Ｂへの係止位置が調節される。その結果、フード本体２の着用者の顔面および頭部へのフィット性を同時に高めて、その状態を維持することができる。また、衣料１Ｂでは、絞り紐４が外部に露出していないため、絞り紐４が不用意に引っ掛かったりすることがなくなり、安全性に優れたものとなる。
【００５５】
衣料１Ｂでは、調節具５Ｂが絞り紐４の第３部分４Ｃに設けられている。そして、調節具５Ｂが、フード本体２の後頭部の左右方向の略中央に設けられ、頭部の右側から中央に延びる絞り紐４の端部と、頭部の左側から中央に延びる絞り紐４の端部とが、調節具５Ｂの回転ドラムに連結している。そのため、調節具５Ｂによって左右の絞り紐４を同時に締めることができ、調節具５Ｂの操作性が向上するとともに、フード本体のフィット性や追従性を容易に高めることできるようになる。
【符号の説明】
【００５６】
１：  衣料
２：  フード本体
３：  開口（顔面開口）
４：  絞り紐
４Ａ：  第１部分
４Ｂ：  第２部分
４Ｃ：  第３部分
５：  調節具
【図１】
0003189088.tif 000003
【図２】
0003189088.tif 000004
【図３】
0003189088.tif 000005
【図４】
0003189088.tif 000006
【図５】
0003189088.tif 000007